(57)【特許請求の範囲】
【請求項１】
板状のものの背面に貼り付けて、板状のものを保持するのに用いる保持バンドであって、
互いに同形の細長帯状の第１シート片及び第２シート片を備え、
前記第１シート片と前記第２シート片とを長手方向両端側の剥離紙貼着部分を除いて貼り合わせ、
前記第１シート片及び前記第２シート片の対向する面の前記長手方向両端側の剥離紙貼着部分を、剥離紙を貼り付ける粘着面とし、
前記第１シート片及び前記第２シート片の一面同士を貼り合わせた貼り合わせ部分の長手方向の両端から、前記第１シート片及び前記第２シート片の長手方向の両端に向けて各々間隔を開けた位置に対応する、前記第１シート片及び第２シート片の長手方向両端側の剥離紙貼着部分の粘着面と反対側の面の位置に目印を表示し、
前記目印は、前記第１シート片及び前記第２シート片の長手方向両端側の剥離紙貼着部分の粘着面から前記剥離紙を剥がし、前記粘着面を前記板状のものの背面に貼り付け、前記保持バンドを使用して前記粘着面の粘着力が低下し、前記粘着面が前記板状のもの背面から剥離したときに、前記保持バンドの交換時期を示す最大剥離許容位置を示すものであり、
前記第１シート片及び前記第２シート片の前記長手方向両端側の粘着面の前記板状のもの背面からの前記粘着面の剥離部分の前記第１シート片及び前記第２シート片の前記長手方向の両端方向の先端位置が前記目印の位置に達したら、前記最大剥離許容位置に達したとして前記保持バンドの交換時期であることが判別可能なことを特徴とする保持バンド。
【請求項２】
前記第１シート片及び前記第２シート片の互いに対向する面をそれぞれ粘着面とし、前記第１シート片及び前記第２シート片の粘着面どうしを、前記剥離紙貼着部分を除いて貼り合わせたことを特徴とする請求項１に記載の保持バンド。
【請求項３】
前記第１シート片及び前記第２シート片のいずれか一方は、対向する面の長手方向両端側の剥離紙貼着部分のみを粘着面とし、他方は、対向する面の全面を粘着面としたことを特徴とする請求項１に記載の保持バンド。
【請求項４】
前記第１シート片或いは前記第２シート片の粘着面と反対側の面を吸湿面としたことを特徴とする請求項１〜３のいずれか一つに記載の保持バンド。
【請求項５】
前記第１シート片或いは前記第２シート片の粘着面と反対側の面を滑り止め面としたことを特徴とする請求項１〜３のいずれか一つに記載の保持バンド。
【請求項６】
前記第１シート片或いは前記第２シート片の粘着面と反対側の面に文字及び／又は図柄を表示したことを特徴とする請求項１〜５のいずれか一つに記載の保持バンド。
【発明の詳細な説明】
【技術分野】
【０００１】
本発明は、携帯用電子機器、クリップボード、パレットのような板状のものの背面に貼り付けて、板状のものを保持するのに用いる保持バンドに関する。さらに、広くは、片手に載せて使用するものの裏面あるいは一側面に貼着して使用する保持バンドに関する。片手に載せて使用するものとして例えば、ノート、手帳、本なども含まれる。
【背景技術】
【０００２】
タブレット端末、スマートフォン、クリップボード、パレット等の板状のものは、一方の手でキー操作、筆記等の作業を行う必要があるので、他方の手のみで保持しなければならず、板体を安定した姿勢で保持するのが難しく、落下する危険性もあった。
そこで、このような板状のものの背面に取り付けて、板状のものを片手で安定して保持するための保持装置が種々提案されている。
【０００３】
例えば、特許文献１には、タブレット装置本体の底板よりも下方に底面を有する保持機構と、保持機構の底面に平行に回転する回転部材と、回転部材に設けられた複数の指バンドとを備えたタブレット装置用補助装置が開示されている。
また、特許文献２には、面ファスナーのループ面を素材とした平面基板の表面にストラップの一端を係止し、ストラップの他端に装飾具を係止し、装飾具の底面に面ファスナーのフック面を接着し、平面基板を携帯電子機器のカバーの背面に接着して、ストラップの下側に指を挿通可能とした携帯電子機器の保持体が記載されている。
【先行技術文献】
【特許文献】
【０００４】
【特許文献１】特開２０１３−１８２４８４号公報
【特許文献２】実用新案登録第３１８０５３９号明細書
【発明の概要】
【発明が解決しようとする課題】
【０００５】
上記特許文献１に記載されたタブレット装置用補助装置は、構造が複雑でコストが高くつき、手で保持する位置を調整できず、しかも、保持する際に各指バンドに指を差し込まなければならないため面倒であった。
特許文献２に記載された保持体も、ストラップ、装飾具等の比較的価格の高い部材を用いているため、コストが高くつき、面ファスナーのループ面とフック面は外れやすいので、落下の危険性を十分に防ぐことができなかった。
本発明が解決しようとする課題は、構造が簡単でコストが低廉で済み、板体の背面の任意位置に容易に貼り付けることができ、剥がれにくい保持バンドを提供することにある。
【課題を解決するための手段】
【０００６】
本発明の保持バンドは、互いに同形の細長帯状の第１シート片及び第２シート片を備え、前記第１シート片と第２シート片とを長手方向両端部を除いて貼り合わせ、前記第１シート片及び第２シート片の対向する面の長手方向両端部を粘着面とし、これら長手方向両端部の粘着面にそれぞれ剥離紙を貼り付けてある。
前記第１シート片及び第２シート片の互いに対向する面をそれぞれ粘着面とし、前記第１シート片及び第２シート片の粘着面どうしを、剥離紙貼着部分を除いて貼り合わせることがある。
或いは、前記第１シート片及び第２シート片のいずれか一方は、対向する面の長手方向両端部のみを粘着面とし、他方は、対向する面の全面を粘着面とすることもできる。
【０００７】
前記第１シート片及び第２シート片の粘着面と逆側の面において、剥離紙貼着部分と対向する箇所に、最大剥離許容位置を示す目印を表示すると良い。
前記第１シート片或いは第２シート片の粘着面と逆側の面を吸湿面としてもよい。
前記第１シート片或いは第２シート片の粘着面と逆側の面を滑り止め面としてもよい。
前記第１シート片或いは第２シート片の粘着面と逆側の面に文字及び／又は図柄を表示することも可能である。
【発明の効果】
【０００８】
本発明の保持バンドは、２枚のシート片を貼り合わせただけの簡単な構造なので、嵩張らず、コストが低廉で済み、汚れたり、粘着力が低下した時には気軽に交換することができる。
また、剥離紙を剥がして露出させた粘着面を介して、板体の任意の位置に容易に貼り付けることが可能であり、第１シート片の粘着面端部と第２シート片の粘着面端部を逆向きに延ばして貼り付けることができるので、これら粘着面が外部からの引っ張り力に対して互いに反対方向に抵抗し、このため、どちらの方向から加わる外力に対しても剥がれにくい。
【図面の簡単な説明】
【０００９】
【図１】本発明の実施例１を示す保持バンドの斜視図である。
【図２】本発明の実施例１を示す保持バンドの分解斜視図である。
【図３】本発明の実施例１を示す保持バンド及び板体の斜視図である。
【図４】本発明の実施例２を示す保持バンド及び板体の斜視図である。
【図５】本発明の実施例２を示す保持バンド及び板体の側面図である。
【図６】本発明の実施例３を示す保持バンド及び板体の側面図である。
【図７】本発明の実施例４を示す保持バンド及び板体の側面図である。
【図８】本発明の実施例５を示す保持バンドの斜視図である。
【図９】本発明の実施例６を示す保持バンドの分解斜視図である。
【発明を実施するための形態】
【００１０】
以下、本発明の実施例を図面に基づいて詳細に説明する。
図１〜図３は本発明の実施例１を示す。
図３に示すように、実施例１の保持バンド１は、タブレット端末Ａより成る板体を保持するためのものであり、布或いはプラスチックを素材とする第１シート片２及び第２シート片３を備える。
【００１１】
図１及び図２に示すように、第１シート片２及び第２シート片３は、互いに同形の細長帯状であり、約１０〜約２０ｃｍの長さ、約２〜約７ｃｍの幅を有する。
第１シート片２及び第２シート片３の一面は、それぞれ粘着層を形成した粘着面２ａ，３ａとなっており、粘着面２ａ，３ａの長手方向両端部には、長さ２〜３ｃｍに亘って剥離紙４を貼り付けてある。
そして、保持バンド１は、第１シート片２と第２シート片３の粘着面２ａ，３ａどうしを、剥離紙貼着部分を除いて貼り合わせて構成される。
【００１２】
この保持バンド１をタブレット端末Ａに取り付けるには、第１シート片２をタブレット端末Ａの背面に対向させ、剥離紙４を順次剥がして粘着面２ａ，３ａを露出させながら、図３に示すように、第２シート片３の長手方向一端部を外方へ延ばして粘着面３ａをタブレット端末Ａの背面に貼り付け、第１シート片２の長手方向一端部を内側へ折り返して粘着面２ａをタブレット端末Ａの背面に貼り付けて、保持バンド１の長手方向一端部を位置決めした後、第１シート片２の長手方向他端部を内側へ折り返して粘着面２ａをタブレット端末Ａの背面に貼り付け、第２シート片３の長手方向他端部を外方へ延ばして粘着面３ａをタブレット端末Ａの背面に貼り付ける。
【００１３】
保持バンド１の両端部の貼り付け位置間の距離は、保持バンド１とタブレット端末Ａの背面との間に、親指を除く２〜４本の指を挿入可能な空間が形成されるよう、保持バンド１がやや弛む距離とする。
なお、実施例１では、第１シート片２と第２シート片３とに構造上の差異はないので、タブレット端末Ａの背面に第１シート片２を対向させても第２シート片３を対向させても良いのは言うまでもない。
【００１４】
図４及び図５は、本発明の実施例２を示す。
実施例２では、第１シート片２及び第２シート片３の粘着面２ａ，３ａと逆側の面において、剥離紙貼着部分と対向する箇所に、保持バンド１の幅方向に沿う線状の目印５を表示してある。
目印５は、保持バンド１を長期間使用して粘着面２ａ，３ａの粘着力が低下し、図５に示すように、タブレット端末Ａに貼り付けられた粘着面２ａ，３ａの基部が浮き上がるようになった時、最大剥離許容位置を示すものであり、第１シート片２と第２シート片３との貼り合わせ部分から適宜間隔をあけて設ける。従って、粘着面２ａ，３ａの剥離部分が目印５に達したら、保持バンド１を速やかに交換する必要がある。
第１シート片２と第２シート片３との貼り合わせ部分から目印５までの距離は、保持バンド１及び剥離紙貼着部分（タブレット端末Ａに対する貼着部分）の寸法に応じて適宜調整する。
その他の構造及び使用方法は、実施例１と同様である。
【００１５】
図６は、本発明の実施例３を示す。
実施例３では、第１シート片２或いは第２シート片３の粘着面２ａ，３ａと逆側の面に吸湿材を取り付けて吸湿面６を形成してある。
実施例３の保持バンド１は、吸湿面６をタブレット端末Ａの背面に対向させて貼り付ける。従って、保持バンド１とタブレット端末Ａとの間に手先を差し込んでタブレット端末Ａを保持した時、手の甲から発生した汗等を吸湿面６で吸い取ることができる。
なお、第１シート片２或いは第２シート片３の素材自体を吸湿性の優れた材料として、吸湿面を形成することもできる。
その他の構造及び使用方法は、実施例１又は実施例２と変わるところはない。
【００１６】
図７は、本発明の実施例４を示す。
実施例４では、第１シート片２或いは第２シート片３の粘着面２ａ，３ａと逆側の面に多数の微小な突起７を形成して滑り止め面８としてある。
この保持バンド１は、滑り止め面８をタブレット端末Ａの背面に対向させて貼り付け、保持バンド１とタブレット端末Ａとの間に手先を差し込んでタブレット端末Ａを保持した時、滑り止め面８が手の甲に引っ掛かり、タブレット端末Ａを強く握らなくても滑り落ちないようになっている。
第１シート片２或いは第２シート片３を、不織布のような、吸湿性に富みしかも滑り難い素材で形成すると、第１シート片２或いは第２シート片３の粘着面２ａ，３ａと逆側の面が滑り止め面であり、且つ、吸湿面となる。
その他の構造及び使用方法は、実施例１又は実施例２と同様である。
【００１７】
図８は、本発明の実施例５を示す。
実施例５では、第１シート片２及び第２シート片３を、全長に亘って均一な幅とせず、両端部の板体（タブレット端末Ａ等）に対する貼着部分を幅広く、長手方向中央部に近付くに従って次第に幅狭く形成してある。
その他の構造及び使用方法は、実施例１〜実施例４のいずれかと同じである。
【００１８】
図９は、本発明の実施例６を示す。
実施例６において、第１シート片２及び第２シート片３のいずれか一方（図に示す例では、第１シート片２）は、長手方向両端部のみに粘着面２ａを形成し、その他の部分は、粘着性を有しない面２ｂとしてある。また、第１シート片２及び第２シート片３の他方（図に示す例では、第２シート片３）は一面全面を粘着面３ａとしてある。
そして、剥離紙４を貼り付けた長手方向両端部を除いて、第１シート片２と第２シート片３とを貼り合わせる。
このようにすると、第１シート片２及び第２シート片３の一面全面を粘着面とした場合よりも、位置合わせが容易で貼り合わせし易くなる。
その他の構造及び使用方法は、実施例１〜実施例４のいずれかと同様である。
【００１９】
なお、本発明の保持バンドの構造は、上記実施例に限定されない。
例えば、第１シート片或いは第２シート片の粘着面と逆側の面に、商品名等の文字、及び／又は、商標等の図柄を表示して、保持バンドを広告媒体として利用することもできる。この時、文字や図柄を表示した面が板体と逆側を向くように、保持バンドを板体に貼り付ける。勿論、商品名や商標ではなく、氏名等の文字や、模様を表示することも可能である。
また、保持バンドを、パレット、クリップボード等のタブレット端末以外の板体に貼り付けることもでき、この場合、板体の重量や大きさに応じて、保持バンドの寸法、素材を適宜変更する。
【符号の説明】
【００２０】
Ａ  タブレット端末
１    保持バンド
２    第１シート片
２ａ  粘着面
２ｂ  粘着性を有しない面
３    第２シート片
３ａ  粘着面
４    剥離紙
５    目印
６    吸湿面
７    突起
８    滑り止め面
【図１】
0006624829.tif 000002
【図２】
0006624829.tif 000003
【図３】
0006624829.tif 000004
【図４】
0006624829.tif 000005
【図５】
0006624829.tif 000006
【図６】
0006624829.tif 000007
【図７】
0006624829.tif 000008
【図８】
0006624829.tif 000009
【図９】
0006624829.tif 000010